(57)【要約】【課題】吊元側における物品等の挟み込みによる損傷を抑制し得る開き戸パネルを提供する。【解決手段】開き戸パネル９は、戸高方向に沿う軸７ａ回りに回転自在に支持される吊元側端部１３に、戸幅方向外側に向けて開口しかつ戸厚方向に貫通する受入凹所１４が戸高方向に延びるように設けられたパネル本体１０と、前記受入凹所に受け入れられ、該受入凹所に沿って戸高方向に延びる長尺状とされ、かつ戸先側端部が前記パネル本体に対して戸高方向に沿う軸１８回りに回転自在に支持された揺動遮蔽部材１５と、を備えている。【選択図】図１
2020193492.tif 000002
【特許請求の範囲】
【請求項１】
戸高方向に沿う軸回りに回転自在に支持される吊元側端部に、戸幅方向外側に向けて開口しかつ戸厚方向に貫通する受入凹所が戸高方向に延びるように設けられたパネル本体と、
前記受入凹所に受け入れられ、該受入凹所に沿って戸高方向に延びる長尺状とされ、かつ戸先側端部が前記パネル本体に対して戸高方向に沿う軸回りに回転自在に支持された揺動遮蔽部材と、
を備えていることを特徴とする開き戸パネル。
【請求項２】
請求項１において、
前記揺動遮蔽部材が前記パネル本体に対して非回転状態で、前記パネル本体の戸厚方向の各面と前記揺動遮蔽部材の戸厚方向の各面とが同一平面状となり、前記パネル本体の吊元側端面と前記揺動遮蔽部材の吊元側端面とが同一平面状となる構成とされていることを特徴とする開き戸パネル。
【請求項３】
請求項１または２において、
前記パネル本体及び前記揺動遮蔽部材における少なくとも戸厚方向の各面は、互いに同色同柄状とされていることを特徴とする開き戸パネル。
【請求項４】
請求項１乃至３のいずれか１項において、
前記パネル本体の吊元側端部の上端側部位及び下端側部位のそれぞれに当該開き戸パネルを支持する支持対象に固定される回転連結部材の取付部が設けられており、
前記揺動遮蔽部材は、前記パネル本体の上下の回転連結部材の取付部間に設けられていることを特徴とする開き戸パネル。
【発明の詳細な説明】
【技術分野】
【０００１】
本発明は、開き戸パネルに関する。
【背景技術】
【０００２】
従来より、吊元側端部が戸高方向に沿う軸回りに回転自在に支持されて出入口を開閉する開き戸が知られている。このような開き戸においては、開放された状態から閉鎖される際に、吊元側端部と縦枠等の吊元側端部が対向される出入口内側面との間に、手指や物品等が存在すれば、挟み込み易くなることが考えられた。
例えば、下記特許文献１には、ドアの付け根部分の一定範囲をくり抜いて設けられた空間に、スプリングを介してドア本体の中心側にスライド可能な付け根部を設けたドアが開示されている。
【先行技術文献】
【特許文献】
【０００３】
【特許文献１】特開２００７−１７０１７３号公報
【発明の概要】
【発明が解決しようとする課題】
【０００４】
しかしながら、上記特許文献１に記載されたドアでは、付け根部が戸幅方向にスライドするため、閉鎖される際に軸回りに回転されて移動するドアに対して付け根部が円滑に戸幅方向にスライドし難くなる場合も考えられる。
【０００５】
本発明は、上記実情に鑑みてなされたものであり、吊元側における物品等の挟み込みによる損傷を抑制し得る開き戸パネルを提供することを目的としている。
【課題を解決するための手段】
【０００６】
上記目的を達成するために、本発明に係る開き戸パネルは、戸高方向に沿う軸回りに回転自在に支持される吊元側端部に、戸幅方向外側に向けて開口しかつ戸厚方向に貫通する受入凹所が戸高方向に延びるように設けられたパネル本体と、前記受入凹所に受け入れられ、該受入凹所に沿って戸高方向に延びる長尺状とされ、かつ戸先側端部が前記パネル本体に対して戸高方向に沿う軸回りに回転自在に支持された揺動遮蔽部材と、を備えていることを特徴とする。
【発明の効果】
【０００７】
本発明に係る開き戸パネルは、上述のような構成としたことで、吊元側における物品等の挟み込みによる損傷を抑制することができる。
【図面の簡単な説明】
【０００８】
【図１】（ａ）、（ｂ）は、本発明の一実施形態に係る開き戸パネルの一例を模式的に示し、（ａ）は、一部破断概略正面図、（ｂ）は、図１（ａ）におけるＸ−Ｘ線矢視に対応させた一部破断概略横断面図である。
【図２】（ａ）、（ｂ）は、図１（ｂ）に対応させた一部を省略した一部破断概略横断面図である。
【発明を実施するための形態】
【０００９】
以下に本発明の実施の形態について、図面に基づいて説明する。
なお、以下の実施形態では、本実施形態に係る開き戸パネルを施工した状態を基準として上下方向等の方向を説明する。
【００１０】
本実施形態に係る開き戸パネル９は、図１（ａ）、（ｂ）に示すように、吊元側端部１３が戸高方向（上下方向）に沿う軸としての蝶番軸７ａ回りに回転自在に支持されるパネル本体１０を備えている。この開き戸パネル９は、住居等の建物の壁体２を貫通するように設けられた出入口８を開閉する。図例では、出入口８の上下両側及び開口幅方向両側の四周を、上枠４、戸先側縦枠５及び吊元側縦枠６を有した戸枠３と床とによって区画した例を示している。なお、開き戸パネル９は、戸枠３とによって開き戸装置１を構成するものでもよい。また、出入口８の下側を区画する下枠（沓摺）を設けた構成としてもよい。
【００１１】
戸先側縦枠５及び吊元側縦枠６の互いに向き合う各見込面には、図１（ｂ）に示すように、開き戸パネル９の厚さ方向一方面に当接または近接される戸当たり部５ａ，６ａがそれぞれの長手方向に沿って延びるように設けられている。なお、詳細な図示は省略しているが、上枠４にも戸当たり部が設けられている。また、図例では、上枠４の上側に垂れ壁を設けたような例を示しているが、このような態様に代えて、出入口８を天井に至るように設けた態様等としてもよい。この場合は、上枠４を天井に埋込状に設けたり、上枠４を設けていない構成等としてもよい。
戸先側縦枠５には、図示を省略しているが、開き戸パネル９に設けられたラッチ錠装置のラッチ頭部を受け入れるラッチ受（ストライク）が設けられている。
【００１２】
吊元側縦枠６は、本実施形態では、開き戸パネル９を支持する支持対象を構成する。この吊元側縦枠６には、当該吊元側縦枠６に対して開き戸パネル９を蝶番軸７ａ回りに回転自在に連結する回転連結部材７が固定される。本実施形態では、吊元側縦枠６の上端側部位及び下端側部位のそれぞれに回転連結部材７，７を固定した構成としている。また、これら回転連結部材７，７を、平板状の取付板状部７ｂ，７ｂを蝶番軸７ａ回りに回転自在に連結したいわゆる羽根蝶番とした例を示している。なお、図例では、固定枠状の戸枠３を例示しているが、ケーシング額縁を備えたケーシング枠状の戸枠３としてもよい。また、この吊元側縦枠６や戸先側縦枠５を設けていない構成としてもよい。この場合は、出入口８の開口幅方向両側内側面が無枠状の内装仕上面とされたものでもよい。
【００１３】
パネル本体１０は、上下方向に長尺な略矩形平板状とされている。このパネル本体１０の戸高寸法は、当該開き戸パネル９によって開閉される出入口８の開口高に応じた寸法としてもよい。このパネル本体１０の戸高寸法は、例えば、１８００ｍｍ〜２１００ｍｍ程度でもよいが、床から天井までの天井高と略同高さ、例えば、２４００ｍｍ〜３０００ｍｍ程度としてもよい。また、パネル本体１０の戸幅寸法は、出入口８の開口幅に応じた寸法でもよく、例えば、６００ｍｍ〜１２００ｍｍ程度でもよい。また、パネル本体１０の戸厚寸法は、例えば、２０ｍｍ〜４０ｍｍ程度でもよい。
【００１４】
このパネル本体１０の戸先側端部には、当該開き戸パネル９を開閉する際に操作される取手９ａが設けられている。この取手９ａは、図示は省略しているが、戸先側端部に埋込状に設けられ、戸幅方向に出没されるラッチ頭部を有したラッチ錠装置に連結されている。また、図例では、この戸先側端部の戸厚方向両側縁部に、Ｃ面取状の面取部を設けた例を示している。
また、パネル本体１０の吊元側端部１３には、戸幅方向外側に向けて開口しかつ戸厚方向に貫通する受入凹所１４が戸高方向に延びるように設けられている。また、図例では、この吊元側端部１３の戸厚方向両側縁部に、Ｃ面取状の面取部を設けた例を示している。また、開き戸パネル９は、この受入凹所１４に受け入れられ、受入凹所１４に沿って戸高方向に延びる長尺状とされた後記する揺動遮蔽部材１５を備えている。
【００１５】
受入凹所１４は、戸厚方向に見て、戸高方向に長尺な略方形状とされている。この受入凹所１４は、互いに対向状に戸高方向に向く天面及び底面と、戸幅方向外側（吊元側縦枠６側）に向く側面１４ａと、によって区画されている。受入凹所１４の天面及び底面は、互いに平行状の略平坦面状とされている。受入凹所１４の側面１４ａは、戸高方向に見て（平面視して）略円弧状の凹湾曲面状とされている。この受入凹所１４の戸幅方向及び戸高方向に沿う寸法は、後記する揺動遮蔽部材１５の受入が可能なように適宜の寸法とされている。また、この受入凹所１４は、パネル本体１０の吊元側端部１３の上端側部位及び下端側部位のそれぞれに設けられた回転連結部材７，７の取付部間の部位に設けられている。なお、回転連結部材７，７の取付部としては、本実施形態のように、これらを羽根蝶番とした場合には、取付板状部７ｂを受け入れる凹部等が設けられたものとしてもよい。
【００１６】
また、パネル本体１０は、枠状芯材に面材を貼着した構成とされたいわゆるフラッシュパネル状とされたものでもよい。また、図例では、パネル本体１０の戸厚方向の各面を構成する戸厚方向外側に向く両表面１１，１１を、全体に亘って平坦面状とした例を示しているが、このような態様に限られない。例えば、パネル本体１０は、上下両側及び戸幅方向両側の四周や、戸幅方向両側に、内側部位よりも戸厚方向に沿う寸法が大とされた框部を有した框状パネルでもよく、また、適所に凹凸や透光部、ガラリ（通気部）等が設けられたものでもよい。パネル本体１０を、框部を有したものとした場合には、吊元側の縦框部に受入凹所１４が設けられたものでもよい。
【００１７】
揺動遮蔽部材１５は、戸先側端部がパネル本体１０に対して戸高方向に沿う軸としての揺動軸１８回りに回転自在に支持されている。このような構成とすれば、図２（ａ）、（ｂ）に示すように、開き戸パネル９が閉鎖される際に吊元側端部（揺動遮蔽部材１５）と出入口８の内側面（吊元側縦枠６の見込面）との間に手指や物品等が存在している場合には、揺動遮蔽部材１５が手指等に当接する。また、開き戸パネル９の移動を伴ってまたは手指等によって揺動遮蔽部材１５がパネル本体１０に対して回転され、揺動遮蔽部材１５の吊元側端部がパネル本体１０に対して戸厚方向外側に向けて変位する。これにより、手指や物品等が開き戸パネル９の吊元側端部と出入口８の内側面との間に挟み込まれて損傷するようなことを抑制することができる。また、戸幅方向にスライドするようなものと比べて、蝶番軸７ａ回りに回転するパネル本体１０に対して揺動遮蔽部材１５の吊元側端部の移動（回転）が円滑になされる。
【００１８】
図例では、開き戸パネル９の閉鎖状態で戸当たり部６ａに対面される側の表面側において開き戸パネル９と吊元側縦枠６との間に手指が存在する場合を例示している。また、開き戸パネル９の吊元側端部（揺動遮蔽部材１５）に手指が掛けられた状態及び吊元側縦枠６の戸当たり部６ａに手指が掛けられた状態をそれぞれ二点鎖線にて模式的に示している。
図２（ａ）に示すように、揺動遮蔽部材１５の吊元側端部と吊元側縦枠６の戸当たり部６ａとの間に手指等が存在している状態で、開き戸パネル９が閉鎖側に移動すれば、図２（ｂ）に示すように、揺動遮蔽部材１５がパネル本体１０に対して回転する。つまり、パネル本体１０が閉鎖位置となった場合にも、パネル本体１０に対して回転された揺動遮蔽部材１５と戸当たり部６ａとの間に、手指等の差込空間が形成される。なお、開き戸パネル９の閉鎖状態で戸当たり部６ａに対面される側とは異なる側の表面側において開き戸パネル９と吊元側縦枠６との間に手指等が存在する場合にも概ね同様に揺動遮蔽部材１５がパネル本体１０に対して回転され、手指等の損傷を抑制することができる。
【００１９】
この揺動遮蔽部材１５は、戸厚方向に見て、戸高方向に長尺な略方形状とされている。この揺動遮蔽部材１５は、上側に向く上面が受入凹所１４の天面に近接して対面され、下側に向く下面が受入凹所１４の底面に近接して対面され、戸先側に向く戸先側面１５ａが受入凹所１４の側面１４ａに近接して対面されるように受入凹所１４内に配されている。本実施形態では、この揺動遮蔽部材１５の戸先側面１５ａを、戸高方向に見て揺動軸１８を円心とする略円弧状（略半円弧状）の突湾曲面状としている。上記した受入凹所１４の側面１４ａは、戸高方向に見て揺動軸１８を円心とする略円弧状とされている。この受入凹所１４の凹湾曲面状の側面１４ａは、揺動遮蔽部材１５の戸先側端部を揺動軸１８回りに回転自在に受け入れる受入溝を区画する。このような構成とすれば、揺動遮蔽部材１５の戸先側における明かり漏れ等を抑制することができる。
【００２０】
また、この揺動遮蔽部材１５の吊元側端部の戸厚方向両側縁部に、パネル本体１０の吊元側端部１３と同様、Ｃ面取状の面取部を設けた例を示している。なお、この揺動遮蔽部材１５の吊元側端部の戸厚方向両側縁部に、Ｒ面取状の面取部を設けたり、吊元側端面１７全体を戸高方向に見て略円弧状（略半円弧状）の突湾曲面状としたりしてもよい。つまり、揺動遮蔽部材１５の吊元側端部の少なくとも戸厚方向両側縁部を、突湾曲面状としてもよい。このような構成とすれば、手指等が当接した際における肌触り性を向上させることができ、また、揺動遮蔽部材１５を円滑に回転させることができる。
【００２１】
また、本実施形態では、この揺動遮蔽部材１５がパネル本体１０に対して非回転状態で、パネル本体１０の各表面１１，１１と揺動遮蔽部材１５の戸厚方向の各面を構成する各表面１６，１６とが同一平面状となる構成としている。つまり、パネル本体１０の各表面１１，１１と揺動遮蔽部材１５の各表面１６，１６とが互いに平行状とされた非回転状態で、互いの表面１１，１１，１６，１６同士が同一平面状となる構成としている。つまりは、パネル本体１０（吊元側端部１３）の戸厚寸法と非回転状態における揺動遮蔽部材１５の戸厚方向に沿う寸法とを同寸法としている。このような構成とすれば、開き戸パネル９の戸厚方向の各表面におけるパネル本体１０と揺動遮蔽部材１５との段差が生じ難くなり、揺動遮蔽部材１５を目立ち難くすることができる。ここに、パネル本体１０の表面１１と揺動遮蔽部材１５の表面１６とが同一平面状とは、完全に同一平面状であるものに限られず、２ｍｍ以下、好ましくは１ｍｍ以下程度の段差がある態様も含む。なお、このような態様に代えて、パネル本体１０の表面１１と揺動遮蔽部材１５の表面１６とを同一平面状としていない態様としてもよい。
【００２２】
また、本実施形態では、この揺動遮蔽部材１５がパネル本体１０に対して非回転状態で、パネル本体１０の吊元側端面１２と揺動遮蔽部材１５の吊元側端面１７とが同一平面状となる構成としている。このような構成とすれば、開き戸パネル９の吊元側端面におけるパネル本体１０と揺動遮蔽部材１５との段差が生じ難くなり、揺動遮蔽部材１５を目立ち難くすることができる。ここに、パネル本体１０の吊元側端面１２と揺動遮蔽部材１５の吊元側端面１７とが同一平面状とは、上記同様、完全に同一平面状であるものに限られず、２ｍｍ以下、好ましくは１ｍｍ以下程度の段差がある態様も含む。なお、揺動遮蔽部材１５の吊元側端面１７の全体を突湾曲面状とした場合には、最突出部をパネル本体１０の吊元側端面１２と同一平面状とした構成としてもよい。また、パネル本体１０の吊元側端面１２と揺動遮蔽部材１５の吊元側端面１７とを同一平面状としていない態様としてもよい。
【００２３】
また、本実施形態では、パネル本体１０及び揺動遮蔽部材１５の少なくとも各表面１１，１１，１６，１６を、互いに同色同柄状としている。このような構成とすれば、揺動遮蔽部材１５を効果的に目立ち難くすることができる。なお、各表面１１，１１，１６，１６が互いに同色同柄状とは、完全に同色同柄に限られず、それぞれが単一色であれば、視覚的に見分け難い程度に互いの色差が小さいようなものも含み、また、概ね同様の模様や柄が同系色で施されているようなものも含む。これらパネル本体１０及び揺動遮蔽部材１５の少なくとも各表面１１，１１，１６，１６は、互いに同色同柄状となるように、塗装や化粧シート等の貼着によって表面化粧処理が施されたものでもよい。また、各表面１１，１１，１６，１６に加えて、パネル本体１０の戸先側端面や受入凹所１４の内面、揺動遮蔽部材１５の上下面及び戸先側面１５ａ、パネル本体１０及び揺動遮蔽部材１５の吊元側端面１２，１７等にも同様な表面化粧処理が施されていてもよい。また、パネル本体１０の表面１１と揺動遮蔽部材１５の表面１６とを異なる色や柄等としてもよい。
【００２４】
この揺動遮蔽部材１５の揺動軸１８は、本実施形態では、揺動遮蔽部材１５の上下両側に設けられている。これら揺動軸１８，１８は、揺動遮蔽部材１５及びパネル本体１０のうちの一方側に設けられ、他方側に設けられた軸受穴に挿入される構成とされたものでもよい。なお、このような態様に代えて、揺動遮蔽部材１５の揺動軸１８を、揺動遮蔽部材１５の戸高方向途中部位をパネル本体１０に対して回転自在に連結する蝶番等の回転連結部材の軸としてもよい。パネル本体１０に対して揺動遮蔽部材１５を回転自在に支持させる態様としては、その他、種々の態様とされたものでもよい。
【００２５】
また、本実施形態では、パネル本体１０に対して揺動軸１８回りに回転された揺動遮蔽部材１５を非回転位置（揺動遮蔽部材１５の各表面１６，１６がパネル本体１０の各表面１１，１１と平行状となる位置）に向けて付勢する付勢部材１９を設けた構成としている。このような構成とすれば、パネル本体１０に対して回転された揺動遮蔽部材１５を付勢部材１９によって非回転位置に復帰させることができ、使い勝手を向上させることができる。また、揺動遮蔽部材１５が意図せずにパネル本体１０に対して回転するようなことを抑制することができる。このような付勢部材１９としては、種々の構成とされたものでもよい。図例では、付勢部材１９を、一方のアーム端がパネル本体１０に対して固定され、他方のアーム端が揺動遮蔽部材１５に対して固定され、コイル部に揺動軸１８が挿通されたねじりコイルばね（トーションばね）とした例を示している。
【００２６】
また、この揺動遮蔽部材１５は、パネル本体１０の上下の回転連結部材７，７の取付部間に設けられている。このような構成とすれば、揺動遮蔽部材１５が手指等を挟み込み易い戸高方向中央側部位に位置することとなる。また、例えば、揺動遮蔽部材１５を戸高方向途中部位から上端または下端に至るまで設けたものと比べて、パネル本体１０及び揺動遮蔽部材１５を、それぞれの支持対象に対して簡易な構成で安定的に回転自在に支持させることができる。なお、このような態様に代えて、揺動遮蔽部材１５を戸高方向途中部位から上端または下端に至るまで設けた態様等としてもよい。この場合は、揺動遮蔽部材１５の戸高方向途中部位等を適宜の回転連結部材等によってパネル本体１０に対して連結した構成等としてもよい。また、パネル本体１０の上端面または下端面に沿わせるように設けられた支持片に揺動軸１８または軸受穴を設けたような態様等としてもよい。
【００２７】
この揺動遮蔽部材１５は、幼児等の手指の挟み込みを抑制する観点等から適宜の高さ位置に設けられたものでもよい。例えば、揺動遮蔽部材１５は、床面から６００ｍｍ程度の高さ位置から１２００ｍｍ程度の高さ位置まで設けられたものでもよく、好ましくは、床面から４００ｍｍ程度の高さ位置から１４００ｍｍ程度の高さ位置まで設けられたものでもよい。また、この揺動遮蔽部材１５の戸幅方向に沿う寸法は、上記のような手指等の挟み込みを抑制する観点や回転性の観点等から適宜の寸法としてもよく、例えば、３０ｍｍ〜２００ｍｍ程度としてもよい。なお、この揺動遮蔽部材１５は、パネル本体１０と同様、フラッシュパネル状とされたものでもよく、木質系材料や合成樹脂系材料等から中実状に形成された適宜の基材の表面に表面化粧処理が施されたものでもよい。
また、本実施形態では、パネル本体１０に単一の受入凹所１４を設け、この受入凹所１４に単一の揺動遮蔽部材１５を設けた例を示しているが、戸高方向に分割された複数の揺動遮蔽部材１５を設けた構成等としてもよい。
【００２８】
また、本実施形態では、回転連結部材７を、羽根蝶番とした例を示しているが、スライド蝶番や隠し蝶番等としてもよい。また、パネル本体１０の上端側部位及び下端側部位のそれぞれの途中部位に回転連結部材７，７を固定した態様に代えて、上端側角部及び下端側角部に回転連結部材７，７を固定した態様等としてもよい。このような構成とすれば、揺動遮蔽部材１５を戸高方向に長尺状にすることができ、手指等の挟み込みをより効果的に抑制することができる。
また、パネル本体１０の支持対象を出入口８の内側面（吊元側縦枠６）とした態様に代えて、床や出入口８の天面（上枠４）を支持対象としてもよい。この場合は、パネル本体１０側に設けられた軸を回転自在に受ける軸受穴を床や出入口８の天面に設けた構成や、パネル本体１０側に設けられた軸受穴に回転自在に挿入される軸を床や出入口８の天面に設けた構成等としてもよい。パネル本体１０の吊元側端部１３を回転自在に支持させる態様としては、その他、種々の態様とされたものでもよい。また、本実施形態に係る開き戸パネル９の上記した各部材及び各部の構成は、一例に過ぎず、その他、種々の変形が可能である。
【符号の説明】
【００２９】
９      開き戸パネル
１０    パネル本体
１１    表面（戸厚方向の各面）
１２    吊元側端面
１３    吊元側端部
１４    受入凹所
１５    揺動遮蔽部材
１６    表面（戸厚方向の各面）
１７    吊元側端面
１８    揺動軸（戸高方向に沿う軸）
６      吊元側縦枠（支持対象）
７      回転連結部材
７ａ    蝶番軸（戸高方向に沿う軸）
【図１】
2020193492.tif 000003
【図２】
2020193492.tif 000004